(57)【特許請求の範囲】
【請求項１】
表示装置と、該表示装置に装着される光学箱とを備え、
前記表示装置は、左眼用の視標と右眼用の視標とを同時に提示する表示画面と、該表示画面に提示される前記左眼用の視標のサイズと前記右眼用の視標のサイズとをそれぞれ設定する視標サイズ設定部と、前記視標サイズ設定部により設定された左眼用の視標と右眼用の視標との像が前記表示画面に同時に提示されるように視標像データを処理する制御回路とを有し、
前記光学箱は、前記左眼用の視標を視認するための左眼用の接眼レンズ系と前記右眼用の視標を視認するための右眼用の接眼レンズ系とを有し、
前記左眼用の視標と前記右眼用の視標とは、径線方向の不等像視を測定するために互いに交差する方向に延びる二本の斜線と全面不等像視を測定するために縦方向に延びる二本の平行な縦線とを含み、
前記視標サイズ設定部が、径線方向の不等像視を測定する際には前記二本の斜線の為す角度を変更し、全面不等像視を測定する際には前記二本の平行な縦線の間隔を変更する
ことを特徴とする不等像視測定装置。
【請求項２】
前記制御回路は、前記径線方向の不等像視を測定するために、前記二本の斜線の交点を通り縦方向に延びる一本の基準直線を、前記径線方向の不等像視を測定する際に前記表示画面に表示させることを特徴とする請求項１に記載の不等像視測定装置。
【請求項３】
前記表示装置は、前記径線方向の不等像視を測定する測定ボタンと、前記全面不等像視を測定するための測定ボタンとを備えていることを特徴とする請求項１又は請求項２に記載の不等像視測定装置。
【請求項４】
請求項１ないし請求項３のいずれか１項に記載の不等像視測定装置を用いた不等像視の測定方法であって、
互いに直交する二本の斜線と該直交する二本の斜線の交点を通りかつ該二本の斜線に対して４５度の傾きを有する一本の基準直線とからなる左眼用の視標と右眼用の視標とを請求項１に記載の表示画面に同時に提示して前記二本の斜線の為す角度を変更することで径線方向の不等像視を測定する第１ステップと、
前記互いに直交する二本の斜線と該直交する二本の斜線の交点を挟んで互いに平行に縦方向に延びる二本の直線とからなる左眼用の視標と右眼用の視標とを前記表示画面に同時に提示して前記二本の平行な縦線の間隔を変更することで全面不等像視の大きさを測定する第２ステップとを含むことを特徴とする不等像視の測定方法。
【発明の詳細な説明】
【技術分野】
【０００１】
本発明は、左右眼で見える像の大きさに差異がある場合、不等像視の大きさを定量化して検査可能な不等像視測定装置及びその不等像視測定装置を用いた不等像視の測定方法に関する。
【背景技術】
【０００２】
従来から、被検者の左右眼の不等像視を測定する技術として、視標の大きさ（サイズ）を平面的に直接比較する技術が知られている。
このものでは、視標として大きさの異なる赤色の半月と、緑色の半月とが複数個準備されている。
【０００３】
検者は、被検者に赤緑眼鏡を装用させた状態で、大きさの異なる赤色の半月（例えば、右眼用の視標）と緑色の半月（例えば、左眼用の視標）とを被検者に提示して、赤色の半月と緑色の半月とを視認させる。
【０００４】
この従来の測定方法では、被検者は提示された両方の半月の大きさが同じに見えたときに、「同じに見えました」と検者に対して応答する。検者はこの応答により提示されている両半月のサイズの差異から、不等像視の大きさの相対的比率を定量化して測定している（例えば、特許文献１参照）。
【０００５】
しかしながら、この従来の測定技術では、被検者に左眼用の視標と右眼用の視標との見え方の違いを平面的に知覚させるのみであるので、被検者は左右の視標の見え方の違いを敏感に知覚することができず、不等像視の大きさの相対的比率を精密に定量化して測定し難いという不都合がある。
【０００６】
また、被検者の左右眼に不等像視が存在する場合、被検者に対して平面的に提示された左眼用の視標と右眼用の視標とからなる融像が立体的に知覚されることを利用して、提示された左眼用の視標と右眼用の視標とからなる融像が平面的に見えるまで、左右眼用の接眼レンズ系の光学倍率を変更して、不等像視を定量化して測定する技術も知られている。
【０００７】
この従来技術では、左眼用の視標のサイズと右眼用の視標のサイズとは一定の大きさに固定され、接眼レンズ系の光学倍率の変更により、視標のサイズを変更する構成である。
【０００８】
このため、接眼レンズ系の光学的構成が複雑化し、装置全体が大型化すると共に、高価になるという不都合がある。また、光学倍率の変更にもレンズの光学的限界から、不等像視の測定が制約されるという不都合もある。
【先行技術文献】
【特許文献】
【０００９】
【特許文献１】特開平１１−１５５８１３号公報
【発明の概要】
【発明が解決しようとする課題】
【００１０】
本発明は、左右眼において像の大きさの見え方に差異がある場合、不等像視の大きさを精密に定量化して測定可能なかつ安価に製作可能な不等像視測定装置を提供することを目的とする。
【課題を解決するための手段】
【００１１】
本発明の不等像視測定装置は、表示装置と該表示装置に装着される光学箱とを備え、
前記表示装置は、左眼用の視標と右眼用の視標とを同時に提示する表示画面と、該表示画面に提示されている前記左眼用の視標のサイズと前記右眼用の視標のサイズとをそれぞれ設定する視標サイズ設定部と、前記視標サイズ設定部により設定された左眼用の視標と右眼用の視標との像が前記表示画面に同時に提示されるように視標像データを処理する制御回路とを有し、
前記光学箱は、左眼用の視標を視認するための左眼用の接眼レンズ系と右眼用の視標を視認するための右眼用の接眼レンズ系とを有する、
ことを特徴とする。
【発明の効果】
【００１２】
本発明によれば、被検者の左右眼において像の大きさの見え方に差異がある場合、表示画面に平面的に同時に提示された左眼用の視標と右眼用の視標とを両眼視したとき、その両視標からなる融像が立体的に知覚されることを利用するものであるので、平面的に視標の大きさを直接比較する場合に比べて、被検者は視標の見え方の変化を敏感に知覚でき、不等像視の大きさを精密に定量化して測定可能である。
【００１３】
また、表示画面に提示する視標の大きさ（視標のサイズ）も、接眼レンズ系の光学倍率を変更することなく、電子回路の画像処理技術により表示画面上で変更することができるので、不等像視測定装置を安価に製作でき、かつ、視標のサイズの変更の自由度も光学系の倍率変更に比べて大きい。
【図面の簡単な説明】
【００１４】
【図１】本発明の実施例に係る不等像視測定装置の概略構成を示す外観図である。
【図２】図１に示す測定装置の断面図である。
【図３】図１に示す表示装置（ディスプレイ装置）の構成を模式的に示す斜視図であって、表示画面に左眼用の視標と右眼用の視標とが表示されている状態を一例として示す図である。
【図４】図３に示す表示装置の電子回路の構成を模式的に示すブロック図である。
【図５】図３に示す表示装置の表示画面に提示されている左眼用の視標と右眼用の視標との一例を示す説明図である。
【図６】不等像視を有しない被検者が図５に示す左眼用の視標と右眼用の視標とを両眼視したときに見える融像を模式的に示す説明図である。
【図７】不等像視を有する被検者の片眼ずつの視標の見え方の一例を示す説明図であって、（Ａ）は図５に示す左眼用の視標を左眼で見たときの像の大きさを模式的に示す説明図であり、（Ｂ）は図５に示す右眼用の視標を右眼で見たときの像の大きさを模式的に示す説明図である。
【図８】不等像視を有する被検者が図５に示す左眼用の視標と右眼用の視標とを両眼視したときに立体的に知覚される融像を模式的に示す説明図である。
【図９】図５に示す左眼用の視標と右眼用の視標とを両眼視することにより図８に示す立体的な融像が見える被検者の不等像視の大きさの測定の一例を模式的に示す説明図であって、図５に示す右眼用の視標の間隔をそのままにして図５に示す左眼用の視標の間隔を拡大した状態を示す模式図である。
【図１０】図９に示す左眼用の視標と右眼用の視標とを両眼視したときに見える融像の状態を模式的に示す説明図である。
【図１１】本発明に係る不等像視測定装置の測定精度確認試験を説明するための説明図であって、不等像視を有しない正常な被験者の片眼に１０％の全面不等像視を惹起するサイズレンズを装用させて、表示画面に図５に示す視標を提示した状態を模式的に示す説明図である。
【図１２】図１１に示す視標を不等像視を有しない正常な被験者に両眼で視認させたときにその被験者が知覚する融像を模式的に示す説明図である。
【図１３】従来から視標として用いられている左眼用の半月と右眼用の半月との一例を模式的に示す説明図である。
【図１４】本発明の実施例に係る測定方法の一例を示す説明図であって、径線方向の不等像視を測定する場合に表示画面に提示される左眼用の視標と右眼用の視標との一例を示す模式図である。
【図１５】被検者に径線方向の不等像視がない場合に図１４に示す視標を両眼視させたときに知覚される融像の一例を模式的に示す説明図である。
【図１６】被検者に径線方向（横方向（水平方向））の不等像視がある場合を模式的に示す説明図であって、（Ａ）は図１４に示す左眼の視標を左眼のみで目視したときに知覚される視標のサイズを示し、（Ｂ）は図１４に示す右眼の視標を右眼のみで目視したときに知覚される視標のサイズを示す。
【図１７】図１６に示す径線方向の不等像視を有する被検者に図１４に示す視標を両眼視させたときに知覚される融像の一例を模式的に示す説明図である。
【図１８】被検者に径線方向（縦方向（垂直方向））の不等像視がある場合を模式的に示す説明図であって、（Ａ）は図１４に示す左眼の視標を左眼のみで目視したときに知覚される視標のサイズを示し、（Ｂ）は図１４に示す視標を右眼のみで目視したときに知覚される視標のサイズを示す。
【図１９】図１８に示す径線方向の不等像視を有する被検者に図１４に示す視標を提示したときに知覚される融像の一例を模式的に示す説明図である。
【図２０】被検者の全面不等像視を測定するときに表示画面に同時に提示される左眼用の視標と右眼用の視標との一例を示す説明図である。
【発明を実施するための形態】
【実施例】
【００１５】
（不等像視測定装置の外観構成の実施例）
図１は本発明の実施例に係る不等像視測定装置の概略構成を示す斜視図、図２はその図１に示す不等像視測定装置の断面図である。
【００１６】
その図１、図２において、１は不等像視測定装置を示す。この不等像視測定装置１は、表示装置３と、光学箱４と、これらを設置する設置枠体２とを有する。この実施例では、設置枠体２は、表示装置設置用の設置枠２Ａと、光学箱設置用の設置枠２Ｂとから構成されている。
【００１７】
設置枠２Ａは脚部２Ｃを有し、図２に示すように、検査用のテーブル５に斜めにセットされる。設置枠２Ｂは、例えば、矩形状を呈しており、設置枠２Ａに着脱可能に固定される。なお、設置枠２Ｂの設置枠２Ａに対する固定方法は嵌合ピンと嵌合孔とによる締結方法その他の方法を採用することができる。
【００１８】
表示装置３は、例えば、タブレット型のコンピュータから構成され、図３に示すように表示画面６を有する。
その表示画面６は、図４に示すように、制御回路（コンピュータ）７により制御される。表示画面６には、タッチパネル式の視標サイズ設定部８、測定ボタン９、測定ボタン１０等が表示されている。
【００１９】
その制御回路７には、視標サイズ設定部８、測定ボタン９、測定ボタン１０等により指示信号が入力される。また、その制御回路７には、図示を略す画像メモリが設けられ、この画像メモリには、左眼用の視標１１Ｌの視標像データと右眼用の視標１１Ｒの視標像データとがテンプレートとして保存されている。
【００２０】
その表示画面６には、図３に示すように、背景が黒色の画面上に、左眼用の視標１１Ｌと右眼用の視標１１Ｒとが提示される。
その視標１１Ｌ、１１Ｒの詳細、本発明の測定原理については、後述することとし、先に光学箱４について説明する。
【００２１】
この光学箱４は、概略直方体形状の暗箱から構成されている。その光学箱４には、平均の瞳孔間距離（ＰＤ）に相当する間隔を開けて、一対の接眼レンズ鏡筒１２Ｌ、１２Ｒが設けられている。この光学箱４は、設置枠２Ｂに対して着脱可能である。
なお、瞳孔間距離ＰＤは、個人によって異なるため、接眼レンズ鏡筒１２Ｌ、１２Ｒを光学箱４に対して左右方向にスライド可能な構成とすることもできる。
【００２２】
その接眼レンズ鏡筒１２Ｌ、１２Ｒには、接眼レンズ１３Ｌ、１３Ｒが設けられている。この接眼レンズ１３Ｌ、１３Ｒの度数は、例えば、８ディオプターであり、表示画面６から被検者の目までの光軸方向の距離は、１２.５ｃｍに設定されている。
【００２３】
視標１１Ｌ、１１Ｒは、例えば、図３に示すように、それぞれ互いに交差する方向に延びる二本の斜線ＬＱ、ＬＱ’、ＲＱ、ＲＱ’と、間隔を開けて互いに平行に縦方向に延びる二本の縦線ＬＰ、ＬＰ’、ＲＰ、ＲＰ’とから構成されている。
【００２４】
斜線ＬＱ、ＬＱ’、ＲＱ、ＲＱ’は、人間の左右眼の径線方向（縦方向と横方向）の不等像視の大きさを測定するのに用いられる。縦線ＬＰ、ＬＰ’、ＲＰ、ＲＰ’は人間の左右眼の全面不等像視の大きさを測定するのに用いられる。
ここで、径線方向の不等像視とは、縦方向と横方向との倍率が異なる不等像視をいい、全面不等像視とは縦方向と横方向との倍率が等しい不等像視をいう。
【００２５】
その斜線ＬＱ、ＬＱ’の交点ＬＺは、接眼レンズ１３Ｌの光軸ＯＬと一致され、斜線ＲＱ、ＲＱ’の交点ＲＺは、接眼レンズ１３Ｒの光軸ＯＲと一致されている。
この実施例では、斜線ＬＱと斜線ＬＱ’、斜線ＲＱと斜線ＲＱ’は互いに９０度の角度をなして交差している。
表示画面６上の交点ＬＺ、ＲＺの左右方向の距離も瞳孔間距離ＰＤに応じて調節可能としても良い。
【００２６】
測定ボタン９は、径線方向の不等像視の大きさを測定するために用いられる。測定ボタン１０は、全面不等像視の大きさを測定するのに用いられる。視標サイズ設定部８は、表示画面６に表示される視標１１Ｌ、１１Ｒのサイズを変更するのに用いられる。
【００２７】
この視標サイズ設定部８は、被検眼の径線方向の不等像視を測定するために、例えば、左眼用視標の斜線ＬＱと斜線ＬＱ’とが為す角度θ（図１４参照）を設定変更する径線設定変更ボタンと、被検眼の全面不等像視を測定するために縦線ＬＰと縦線ＬＰ’との間隔（サイズ）、縦線ＲＰと縦線ＲＰ’との間隔（サイズ）を設定変更するサイズ設定変更ボタンとを有する。
【００２８】
制御回路７は、測定ボタン９を操作すると、左眼用の視標１１Ｌと右眼用の視標１１Ｒとを表示画面６に同時に提示して径線方向の不等像視を測定する第１ステップを実行させる。
【００２９】
ここでは、左眼用の視標１１Ｌは、互いに交差する二本の斜線ＬＱ、ＬＱ’とこれらの交差する二本の斜線ＬＱ、ＬＱ’の交点ＬＺを通りかつこれらの二本の斜線ＬＱ、ＬＱ’の為す角度θに対してθ/２（θ１/２）の傾きを有する基準直線ＬＲ（図１４を参照）とからなっている。
【００３０】
右眼用の視標１１Ｒも、互いに交差する二本の斜線ＲＱ、ＲＱ’とこれらの交差する二本の斜線ＲＱ、ＲＱ’の交点ＲＺを通りかつこれらの二本の斜線ＲＱ、ＲＱ’の為す角度θに対してθ/２（θ２/２）の傾きを有する基準直線ＲＲ（図１４を参照）とからなっている。
【００３１】
斜線ＬＱ、ＬＱ’は、基準直線ＬＲに対して線対称、斜線ＲＱ、ＲＱ’は、基準線ＲＲに対して線対称の構成であり、斜線ＬＱ、ＬＱ’（ＲＱ、ＲＱ’）の為す角度θは例えばθ＝θ１＝θ２＝９０度である。
【００３２】
径線方向の不等像視を有しない被験者の場合、図１４に示す左眼用の視標１１Ｌと右眼用の視標１１Ｒとを両眼視すると、図１５に示すように、両視標が融像して基準線ＬＬ，ＲＲに対して対称な斜線ＬＱ、ＲＱ、ＬＱ’、ＲＱ’が被検者に知覚される。
【００３３】
その図１４に示す左眼用の視標１１Ｌと右眼用の視標１１Ｒとを、図１６（Ａ）、（Ｂ）に示す径線方向（横方向（水平方向））の不等像視を有する被検者に提示して、両眼で視認させると、両視標が融像して図１７に示すように基準線ＬＬ、ＲＲに対して非対称な斜線ＬＱ、ＲＱ、ＬＱ’、ＲＱ’が被検者に知覚される。
なお、その図１６において、（Ａ）は図１４に示す左眼の視標を左眼のみで目視したときに知覚される視標のサイズを模式的に示し、（Ｂ）は図１４に示す右眼の視標を右眼のみで目視したときに知覚される視標のサイズを模式的に示す。
【００３４】
このような場合には、視標サイズ設定部８の径線設定変更ボタンを操作して視標１１Ｌの斜線ＬＱ、ＬＱ’の為す角度θ１が視標１１Ｒの斜線ＲＱ、ＲＱ’の為す角度θ２と一致するように左眼の視標１１Ｌの横幅ＬＥ（図１４参照）を大きくする方向に変更する。
【００３５】
この左眼の視標１１Ｌの横幅ＬＥを変更することにより、左眼の視標１１Ｌの角度θ１と角度θ２とが一致したとき、その被検者に対する径線方向（横方向（水平方向））の不等像視が解消される。すなわち、水平方向の不等像視が中和され、基準線ＬＬ、ＲＲに対して対称な斜線ＬＱ、ＲＱ、ＬＱ’、ＲＱ’が被検者に知覚される。
【００３６】
左眼の視標１１Ｌの斜線ＬＱ、ＬＱ’の為す角度θ１が視標１１Ｒの斜線ＲＱ、ＲＱ’の為す角度θ２と一致するように左眼の視標１１Ｌの横幅ＬＥを変更したときの変更後の横幅と変更前の横幅との差を変更前の横幅ＬＥで除算した値を径線方向の不等像視量Ｍ１という。
【００３７】
また、その図１４に示す左眼用の視標１１Ｌと右眼用の視標１１Ｒとを、図１８（Ａ）、（Ｂ）に示す径線方向（縦方向（垂直方向））の不等像視を有する被検者に提示して、両眼で視認させると、両視標が融合して図１９に示すように基準線ＬＬ、ＲＲに対して非対称な斜線ＬＱ、ＲＱ、ＬＱ’、ＲＱ’が被検者に知覚される。
なお、その図１８において、（Ａ）は図１４に示す左眼の視標を左眼のみで目視したときに知覚される視標のサイズを模式的に示し、（Ｂ）は図１４に示す右眼の視標を右眼のみで目視したときに知覚される視標のサイズを模式的に示す。
【００３８】
このような場合には、視標サイズ設定部８の径線設定変更ボタンを操作して視標１１Ｒの斜線ＲＱ、ＲＱ’の為す角度θ２が視標１１Ｌの斜線ＬＱ、ＬＱ’の為す角度θ１と一致するように左眼の視標１１Ｒの横幅ＲＥを大きくする方向に変更する。
【００３９】
この右眼の視標１１Ｒの横幅ＲＥを変更することにより、右眼の視標１１Ｒの角度θ２と角度θ１とが一致したとき、その被検者に対するに径線方向（縦方向（垂直方向））の不等像視が解消される。すなわち、垂直方向の不等像視が中和され、図１５に示すように基準線ＬＬ、ＲＲに対して対称な斜線ＬＱ、ＲＱ、ＬＱ’、ＲＱ’が被検者に知覚される。
【００４０】
右眼の視標１１Ｒの斜線ＲＱ、ＲＱ’の為す角度θ２が視標１１Ｌの斜線ＬＱ、ＬＱ’の為す角度θ１と一致するように右眼の視標１１Ｒの横幅ＲＥを変更したときの変更後の横幅と変更前の横幅との差を変更前の横幅ＲＥで除算した値を、同様に径線方向の不等像視量Ｍ１という。
【００４１】
制御回路７は、測定ボタン１０を操作すると、左眼用の視標１１Ｌと、右眼用の視標１１Ｒとを表示画面６に同時に提示して全面不等像視の大きさを測定する第２ステップを実行させる。
【００４２】
第２ステップでは、左眼用の視標１１Ｌは、互いに交差する二本の斜線ＬＱ、ＬＱ’とこれらの交差する二本の斜線ＬＱ、ＬＱ’の交点ＬＺを挟んで互いに平行に縦方向に延びる二本の縦線ＬＰ、ＬＰ’とからなっている。
【００４３】
右眼用の視標１１Ｒは、互いに交差する二本の斜線ＲＱ、ＲＱ’とこれらの交差する二本の斜線ＲＱ、ＲＱ’の交点ＲＺを挟んで互いに平行に縦方向に延びる二本の縦線ＲＰ、ＲＰ’とからなっている。
なお、縦線ＬＰ、ＬＰ’は交点ＬＺに対して線対称、縦線ＲＰ、ＲＰ’は交点ＲＺに対して線対称である。
【００４４】
（全面不等像視の測定原理の説明）
以下に、本発明に係る不等像視測定装置の全面不等像視の測定原理を説明する。
表示画面６に、例えば、図２０に示すように、縦線ＬＰ、ＬＰ’の間隔と縦線ＲＰ、ＲＰ’の間隔とが等しい左眼用の視標１１Ｌと右眼用の視標１１Ｒとが同時に表示されているものとする。
【００４５】
この図２０には、ステップ１において、径線方向の不等像視が検出されたとき、その径線方向の不等像視を中和する修正処理が施された斜線ＬＱ、ＬＱ’を有する左眼用の視標１１Ｌが右眼用の視標１１Ｒと共に表示画面６に表示されている状態、若しくは、不等像視を中和する修正処理が施された斜線ＲＱ、ＲＱ’を有する右眼用の視標１１Ｒが左眼用の視標１１Ｌと共に表示画面６に表示されている状態が示されている。
【００４６】
この図２０には、左眼用の視標１１Ｌの斜線ＬＱ、ＬＱ’の為す角度θ＝θ１及び右眼用の視標１１Ｒの為す角度θ＝θ２を４５度として示してあるが、これは説明の便宜上のためであって、径線方向の不等像視を有する被検者にはこの左眼用の視標１１Ｌの斜線ＬＱ、ＬＱ’若しくは右眼用の視標１１Ｒの斜線ＲＱ、ＲＱ’の為す角度θはその径線方向の不等像視を中和する角度θとされた斜線ＬＱ、ＬＱ’若しくは斜線ＲＱ、ＲＱ’が提示されている。
【００４７】
従って、径線方向の不等像視を有するが全面不等像視を有しない被検者に図２０に示す左眼用の視標１１Ｌと右眼用の視標１１Ｒとを両眼視させたとき、両視標１１Ｌ、１１Ｒが融像して、図６に示すように、基準線ＬＬ、ＲＲに対して対称な斜線ＬＱ、ＲＱ、ＬＱ’、ＲＱ’と、平行な二本の縦線ＬＰ、ＲＰ、ＬＰ’、ＲＰ’が被検者に知覚される。
【００４８】
これに対して、径線方向の不等像視と共に全面不等像視を有する被検者に図２０に示す視標１１Ｌと右眼用の視標１１Ｒとを両眼視させると、両視標１１Ｌ、１１Ｒが融像して、図８に示すように、交点ＬＺ、ＲＺに対して対称な斜線ＬＱ、ＲＱ、ＬＱ’、ＲＱ’を基準にして、左側の縦線ＬＰ、ＲＰが手前側に見え、右側の縦線ＬＰ’、ＲＰ’が奥側に存在するように立体的に知覚される。
【００４９】
なお、ここでは、被検者に不等像視がある場合、例えば、図７（Ａ）に示すように、左眼のみで図２０に示す左眼用の視標１１Ｌを見た場合の縦線ＬＰ、ＬＰ’の間隔（サイズ）ａに対して、図７（Ｂ）に示すように、右眼のみで図２０に示す右眼用の視標１１Ｒを見た場合の縦線ＲＰ、ＲＰ’の間隔（サイズ）ｂであるような不等像視を被検者が有するものとして説明している。
【００５０】
すなわち、被検者に全面不等像視が存在する場合、間隔ａの縦線ＬＰ、ＬＰ’を有する左眼用の視標１１Ｌと間隔ａと同一の間隔の縦線ＲＰ、ＲＰ’を有する右眼用の視標１１Ｒとを両眼視したとき、表示画面６に提示された視標１１Ｌ、１１Ｒからなる融像が被検者に立体的に知覚される。
【００５１】
そこで、左眼用の視標１１Ｌの縦線ＬＰ、ＬＰ’の間隔ａのサイズが右眼のみで右眼用の視標１１Ｒを見たときの縦線ＲＰ、ＲＰ’の間隔ｂのサイズと同じになるように、左眼用の縦線ＬＰ、ＬＰ’の間隔ａをａ’＝ｂに変更して、図９に示すように、表示画面６に提示すると、被検者はこれらの視標１１Ｌ、１１Ｒを両眼視したとき、両視標１１Ｌ、１１Ｒが融像して図１０に模式的に示すように、左眼用の視標１１Ｌと右眼用の視標１１Ｒとが平面的に知覚される。
【００５２】
ついで、変更後の左眼用の視標１１Ｌの縦線ＬＰ、ＬＰ’の間隔ａ’を変更前の視標１１Ｌの縦線ＬＰ、ＬＰ’の間隔ａで除算して、全面不等像視の倍率Ｍ２を求める。
Ｍ２＝ａ’/ａ
不等像視率Ｍは、径線方向の倍率Ｍ１と全面不等像視の倍率Ｍ２によって表される。
【００５３】
（測定精度確認実験）
本発明の実施例に係る不等像視測定装置１の測定精度を確かめるための測定実験を行った。以下に、これについて説明する。
ここでは、図１１に示すように、不等像視を有しない正常な被験者の片眼に１０％の全面不等像視を惹起するサイズレンズＬＥＮＳを装用させて、表示画面６に図５に示す視標１１Ｌ、１１Ｒを提示して、検証実験を行った。
【００５４】
図５に示す視標１１Ｌ、１１Ｒを表示画面６に提示して、この視標１１Ｌ、１１Ｒを両眼視させると、両視標１１Ｌ、１１Ｒが融像して図８に示すように立体的に知覚される。
【００５５】
視標サイズ設定部８のサイズ設定変更ボタンを操作して、視標１１Ｌの間隔を変え、両視標１１Ｌ、１１Ｒが融像して図１２に示すように平面的に見えたときに被験者に応答させ、そのときの不等像視を求めた。
【００５６】
３０人の正常な被験者に対して、この測定を行ったところ、測定値Ｘの平均値は、サイズレンズＬＥＮＳの倍率１０％に対して＋２％の誤差であった。
すなわち、測定値Ｘのばらつきは後述する従来の測定方法に較べて小さかった。
【００５７】
これに対して、同じ３０人の被験者に対して、従来から、図１３に示すように、視標として用いられている左眼用の緑色の半月ＬＭのサイズと右眼用の赤色の半月ＲＭとを表示画面６に同時に提示して、被験者に両視標ＬＭ、ＲＭを両眼視させた。
【００５８】
そして、左眼用の緑色の半月ＬＭのサイズと右眼用の赤色の半月ＲＭのサイズとが同じサイズに見える方向に半月ＬＭのサイズを変更して、被験者が左眼用の緑色の半月ＬＭのサイズと赤色の半月ＲＭのサイズとが同じに見えると応答したときの被験者に提示した緑色の半月ＬＭのサイズｃと赤色の半月ＲＭのサイズｄで除算したときの測定値Ｘを求めた。
この測定を行ったところ、測定値Ｘの平均値は、サイズレンズＬＥＮＳの倍率１０％に対して、−４２％の誤差であった。
【００５９】
つまり、正常な被験者は、左眼用の半月ＬＭのサイズが右眼用の半月のサイズの６割程度の大きさで、両半月ＬＭ、ＲＭの大きさが同じであると応答した。
このように、従来の測定方法では、理論値に対する測定値Ｘのずれが大きく、また、そのばらつきも大きかった。
【００６０】
これに対して、本発明の実施例に係る不等像視測定装置１では、被検者の左右眼において像の大きさの見え方に差異がある場合、表示画面６に平面的に同時に提示された左眼用の視標１１Ｌと右眼用の視標１１Ｒとを両眼視したとき、その両視標１１Ｌ、１１Ｒの融像が立体的に知覚される。
【００６１】
ついで、この立体的に知覚された融像が平面的に知覚されるように、提示された左眼用の視標１１Ｌ又は右眼用の視標１１Ｒのサイズを変更して、不等像視の大きさを測定する方法であるので、平面的に視標の大きさを直接比較する場合に較べて、被検者は視標の見え方の変化を敏感に知覚でき、不等像視の大きさを精密に定量化して測定可能である。
【００６２】
以下、この不等像視測定装置１を用いた測定方法の一例を図面を参照しつつ説明する。
（測定方法の一例）
まず、表示装置３の電源をオンして、測定ボタン９を操作する（第１ステップ）。これにより、表示画面６に図１４に示す左眼用の視標１１Ｌと右眼用の視標１１Ｒとが同時に提示される。被検者は接眼レンズ１３Ｌ、１３Ｒを覗き込んで両視標１１Ｌ、１１Ｒを視認する。
【００６３】
被検者の左右眼に径線方向の不等像視が存在する場合、図１４に示す両視標１１Ｌ、１１Ｒを両眼視した場合、図１７、図１９に示すように、両視標１１Ｌ、１１Ｒが融像して基準直線ＬＲ、ＲＲに対して斜線ＬＱ、ＲＱ、ＬＱ’、ＲＱ’が回転したかのように非対称に知覚され、基準直線ＬＲ、ＲＲに対して斜線の為す角度が４５度に対してずれて見える。
【００６４】
この基準線ＬＲ、ＲＲに対して斜線ＬＱ、ＲＱ、ＬＱ’、ＲＱ’の為す角度が対称的に知覚されるように、視標サイズ設定部８の径線設定変更ボタンの操作により例えば左眼用の視標１１Ｌの角度θ＝θ１を変更する。これにより、被検者の径線方向の不等像視が中和方向に解消される。
【００６５】
ついで、測定ボタン１０を操作する（第２ステップ）。すると、例えば、図２０に示す視標１１Ｌ、１１Ｒが表示画面６に同時に提示される。被検者にこの図２０に示す視標１１Ｌと右眼用の視標１１Ｒとを両眼視させると、両視標１１Ｌ、１１Ｒが融像して、図８に示すように、交点ＬＺ、ＲＺに対して対称な斜線ＬＱ、ＲＱ、ＬＱ’、ＲＱ’を基準にして、左側の縦線ＬＰ、ＲＰが手前側に見え、右側の縦線ＬＰ’、ＲＰ’が奥側に存在するように立体的に知覚される。
【００６６】
ついで、その被検者に視標１１Ｌ、１１Ｒを両眼視させたとき、図６に示すように、融像した視標が平面的に見える方向に、視標サイズ設定部８のサイズ設定変更ボタンを操作して、例えば、視標１１Ｌのサイズを変更する。
【００６７】
被検者は、左眼用の視標１１Ｌと右眼用の視標１１Ｒとを両眼視しながら、検者の「視標１１Ｌ、１１Ｒが平面的に見えましたか」との問診に対して、視標１１Ｌ、１１Ｒが平面的に見えたとき、「はい」との応答を行う。
これにより、被検者の不等像視の測定は終了する。
【００６８】
被検者の不等像視の倍率は、第１ステップにより得られた径線方向の不等像視の倍率と第２ステップにより得られた全面方向の不等像視の倍率との積によって表される。
【００６９】
このように、この実施例によれば、径線方向の不等像視の測定を行って、全面不等像視の測定を行う手順を踏むので、不等像視の測定を精密に行うことができる。
なお、この実施例では、表示画面６には、操作ボタンとして３個のボタンしか示されていないが、本発明の実施例に直接関係しないキャンセルボタン、再生表示ボタン、確定ボタン等のその他のボタンは捨象している。
【００７０】
このように不等像視の測定を精密に行うことが可能となると、不等像視を矯正する等像レンズの作成に役立ち、ひいては、被検者の眼精疲労や遠近感欠如等の目に起因する症状の改善に貢献することができる。
【符号の説明】
【００７１】
１…不等像視測定装置
２…設置枠体
３…表示装置
４…光学箱
６…表示画面
７…制御回路
８…視標サイズ設定部
９、１０…測定ボタン
１１Ｌ…左眼用の視標
１１Ｒ…右眼用の視標
１３Ｌ…左眼用の接眼レンズ
１３Ｒ…右眼用の接眼レンズ
ＬＱ、ＲＱ、ＬＱ’、ＲＱ’…斜線
ＬＰ、ＲＰ、ＬＰ’、ＲＰ’…縦線
ＬＺ、ＲＺ…交点
ＰＤ…瞳孔間距離
１２Ｌ、１２Ｒ…接眼レンズ鏡筒
１３Ｌ、１３Ｒ…接眼レンズ
ＬＲ、ＲＲ…基準直線
【図１】
0006404647.tif 000002
【図２】
0006404647.tif 000003
【図３】
0006404647.tif 000004
【図４】
0006404647.tif 000005
【図５】
0006404647.tif 000006
【図６】
0006404647.tif 000007
【図７】
0006404647.tif 000008
【図８】
0006404647.tif 000009
【図９】
0006404647.tif 000010
【図１０】
0006404647.tif 000011
【図１１】
0006404647.tif 000012
【図１２】
0006404647.tif 000013
【図１３】
0006404647.tif 000014
【図１４】
0006404647.tif 000015
【図１５】
0006404647.tif 000016
【図１６】
0006404647.tif 000017
【図１７】
0006404647.tif 000018
【図１８】
0006404647.tif 000019
【図１９】
0006404647.tif 000020
【図２０】
0006404647.tif 000021